(57)【要約】      （修正有）【課題】電力環境に対して汎用性を有する照明装置を提供する。【解決手段】照明装置は、電源部１０と、照明部２０、２２と、駆動回路３０、３２と、接続回路５０と、駆動電流制御回路を備え、整流電圧に応じて照明部２０および照明部２２を直列または並列に接続し、照明部２０および照明部２２の接続状態に対応して、照明部２０および照明部２２の発光に対応する第１駆動電流および第２駆動電流のうちの少なくとも１つを変更する。【選択図】図１
2017037844.tif 000002
【特許請求の範囲】
【請求項１】
１つ以上の発光ダイオードを有し、整流電圧に対応して発光し、直列または並列に接続される第１照明部および第２照明部と、
第１基準電圧と第１センシング抵抗によるセンシング電圧とを比較することにより、前記第１照明部の発光に対応する第１電流経路の提供および該第１電流経路の第１駆動電流の調節する第１駆動回路と、
第２基準電圧と第２センシング抵抗によるセンシング電圧とを比較することにより、前記第２照明部の発光に対応する第２電流経路の提供および該第２電流経路の第２駆動電流の調節する第２駆動回路と、
前記第１基準電圧および前記第２基準電圧と前記第１センシング抵抗および前記第２センシング抵抗のうちの少なくとも１つを調整することにより、前記第１駆動電流または前記第２駆動電流のうちの少なくとも１つを変更する駆動電流制御回路とを備え、
前記第１照明部および前記第２照明部は、代表値が異なる第１整流電圧および第２整流電圧に区分される前記整流電圧に対応して発光し、前記第１整流電圧に対応して並列接続され、前記第１整流電圧より高い前記第２整流電圧に対応して直列に接続される照明装置。
【請求項２】
前記第１照明部および前記第２照明部が電気的に直列または並列に接続されることを手動で変更する第１スイッチをさらに備え、
前記駆動電流制御回路が、前記第１駆動電流および前記第２駆動電流のうちの少なくとも１つを手動で変更する第２スイッチを備える請求項１に記載の照明装置。
【請求項３】
前記代表値が異なる前記第１整流電圧と前記第２整流電圧とに前記整流電圧を区分し、前記整流電圧を区分した判断信号を提供する電圧判断部をさらに備え、
前記判断信号によって、前記第１照明部および前記第２照明部が直列または並列に接続される請求項１に記載の照明装置。
【請求項４】
前記判断信号に対応して、前記第１照明部および前記第２照明部を電気的に直列または並列に接続する接続回路をさらに備え、
前記判断信号に対応して、前記駆動電流制御回路が、前記第１駆動電流および前記第２駆動電流のうちの少なくとも１つを変更する請求項３に記載の照明装置。
【請求項５】
前記電圧判断部が、前記整流電圧を前記第１整流電圧または前記第２整流電圧に区分するための前記整流電圧の前記代表値を生成し、半周期以上の前記整流電圧の状態、前記整流電圧のピーク値、前記整流電圧の平均値、および入力電流の平均値のうちのいずれか１つを前記代表値として生成する請求項３に記載の照明装置。
【請求項６】
前記電圧判断部は、予め設定された基準レベルで前記代表値を判断して、前記整流電圧を前記第１整流電圧と前記第２整流電圧に区分し、前記基準レベルが前記第１整流電圧および前記第２整流電圧のうちの低いレベルの１．１倍〜２．６倍に対応するように設定される請求項５に記載の照明装置。
【請求項７】
前記駆動電流制御回路は、前記第１駆動電流による第１消費電力および前記第２駆動電流による第２消費電力のうちの高い消費電力が、低い消費電力を基準として０．５倍〜１．５倍の範囲に形成されるように前記第１駆動電流および前記第２駆動電流のうちの少なくとも１つを変更する請求項１に記載の照明装置。
【請求項８】
前記駆動電流制御回路が前記第１駆動電流および前記第２駆動電流のうちの少なくとも１つを減少させる請求項１に記載の照明装置。
【請求項９】
前記駆動電流制御回路は、前記第１照明部および前記第２照明部が直列接続され、前記第１照明部が先順位に発光する場合、前記第１駆動電流を減少させる請求項８に記載の照明装置。
【請求項１０】
前記駆動電流制御回路が、前記第１駆動電流および前記第２駆動電流の一方を減少させ、他方を増加させる請求項１に記載の照明装置。
【請求項１１】
前記駆動電流制御回路は、前記第１照明部および前記第２照明部が直列接続され、前記第１照明部が先順位に発光し、前記第２照明部が後順位に発光する場合、前記第１駆動電流を減少させ、前記第２駆動電流を増加させる請求項１０に記載の照明装置。
【請求項１２】
前記駆動電流制御回路は、前記第１駆動回路の前記第１電流経路に接続される前記第１センシング抵抗の第１センシング抵抗値、前記第２駆動回路の前記第２電流経路に接続される前記第２センシング抵抗の第２センシング抵抗値、前記第１駆動回路に前記第１電流経路を制御するために適用される前記第１基準電圧、および前記第２駆動回路に前記第２電流経路を制御するために適用される前記第２基準電圧のうちの少なくとも１つを制御して、前記第１駆動電流および前記第２駆動電流のうちの少なくとも１つを変更する請求項１に記載の照明装置。
【請求項１３】
前記第１照明部が、順次発光する少なくとも１つのチャネルを有し、
前記第２照明部が、順次発光する少なくとも１つのチャネルを有し、
前記第１照明部および前記第２照明部が直列に接続された場合、順次発光によって駆動電流の量で区分される全体チャネルの数が、前記第１照明部のチャネル数および前記第２照明部のチャネル数のうちのチャネル数が多いもの以上に形成される請求項１に記載の照明装置。
【請求項１４】
前記第１照明部に接続され、前記第１照明部より後順位に発光する少なくとも１つの第１発光ダイオードと、
前記第２照明部に接続され、前記第２照明部より後順位に発光する少なくとも１つの第２発光ダイオードと、のうちの少なくとも１つ以上をさらに備え、
前記第１発光ダイオードおよび前記第２発光ダイオードのうちの少なくとも１つは、前記第１照明部および前記第２照明部が直列接続された場合に発光する請求項１に記載の照明装置。
【請求項１５】
前記第１駆動回路および前記第２駆動回路が１つの集積回路で実現される請求項１に記載の照明装置。
【発明の詳細な説明】
【技術分野】
【０００１】
本発明は、照明装置に関し、より詳細には発光ダイオードを光源として用いる照明装置に関する。
【背景技術】
【０００２】
照明装置は、エネルギー節減のために、少ない量のエネルギーで高い発光効率を有する光源を用いるように開発されている。近年、発光ダイオード（ＬＥＤ）が照明装置の代表的な光源として用いられている。発光ダイオードは、エネルギー消費量、寿命および光質などといった多様な要素で他の光源と差別化されるという利点を有する。
【０００３】
発光ダイオードは、電流によって駆動される特性を有する。そのため、発光ダイオードを光源とする照明装置は、電流駆動のための追加の回路が多く必要になる問題がある。この問題を解決すべく、照明装置は、交流ダイレクト方式で交流電源を発光ダイオードに提供するように開発された。
【０００４】
上記交流ダイレクト方式の照明装置は、交流電源を整流電圧に変換し、整流電圧を用いた電流駆動によって発光ダイオードが発光するように構成される。交流ダイレクト方式の照明装置は、インダクタおよびキャパシタを用いるのではなく、整流電圧を用いるため、力率が良好である特性がある。ここで、整流電圧は、交流電圧が全波整流された電圧を意味する。
【０００５】
上記交流ダイレクト方式の照明装置は、少なくとも１つの発光ダイオードグループを備え、発光ダイオードグループは、少なくとも１つの発光ダイオードを有するように構成され、整流電圧の変化に対応して発光する。
【０００６】
そして、交流ダイレクト方式の照明装置は、少なくとも１つの駆動回路を用いて複数の発光ダイオードグループを駆動するように構成される。
一例として、２つの駆動回路を用いて複数の発光ダイオードグループを駆動する場合、複数の発光ダイオードグループを整流電圧の変化に対応して順次に発光するように制御できる。
【０００７】
より具体的な説明のために、交流ダイレクト方式の照明装置は、直列接続された８つの発光ダイオードグループを備え、２つの駆動回路がそれぞれ４つの発光ダイオードグループを駆動すると仮定する。このとき、電力環境は、２２０Ｖの交流電圧が供給されると仮定する。
【０００８】
２２０Ｖの交流電圧に対応する整流電圧が直列接続された８つの発光ダイオードグループに印加されると、８つの発光ダイオードグループは、整流電圧の変化に対応して順次に発光する。
【０００９】
電力環境は、国ごとにまたは地域ごとに異なる。
１１０Ｖの交流電圧を供給する電力環境で上記交流ダイレクト方式の照明装置が用いられる場合、１１０Ｖの交流電圧に対応する整流電圧で発光できる発光ダイオードグループの数は制限される。すなわち、電力環境が照明装置の設計された定格電圧に達しない場合、照明装置は、制限された数の発光ダイオードグループを用いて照明を行う問題がある。
そのため、交流ダイレクト方式の照明装置は、電力環境にかかわらず、全体発光ダイオードグループが照明に利用できるように電力環境に対する汎用性を確保する必要がある。
【発明の概要】
【発明が解決しようとする課題】
【００１０】
本発明の目的は、発光ダイオードを用いる照明装置が電力環境に対して汎用性を有するようにすることである。
本発明の他の目的は、照明装置に備えられた発光ダイオードグループの電気的な接続状態が整流電圧の状態に応じて直列または並列に変更可能で、照明装置が電力環境に対応する汎用性を有するようにすることである。
【課題を解決するための手段】
【００１１】
本発明の一態様として、照明装置は、１つ以上の発光ダイオードを有し、整流電圧に対応して発光する第１照明部および第２照明部と、前記第１照明部の発光に対応する第１電流経路を提供し、該第１電流経路の第１駆動電流を調節する第１駆動回路と、前記第２照明部の発光に対応する第２電流経路を提供し、該第２電流経路の第２駆動電流を調節する第２駆動回路と、前記第１照明部および前記第２照明部の接続状態に対応して、前記第１駆動電流および前記第２駆動電流のうちの少なくとも１つを変更する駆動電流制御回路とを備え、前記第１照明部および前記第２照明部が電気的に直列または並列に接続される。
【発明の効果】
【００１２】
本発明によれば、照明装置に備えられた発光ダイオードグループの電気的な接続状態が整流電圧の状態に応じて直列または並列に変更可能で、照明装置が電力環境に対応する汎用性を有することができる。
【図面の簡単な説明】
【００１３】
本発明は、以下で単に一例として説明され、添付の図面に示される特定の実施例を参照してより詳細に説明される。
【図１】本発明の第１の実施形態の照明装置の好ましい実施例を示すブロック図である。
【図２】電圧判断部を備える図１の変形例を示すブロック図である。
【図３】図２の駆動回路を例示する回路図である。
【図４】図２の電圧判断部を例示する回路図である。
【図５】図２の照明部が並列に接続されたことを例示するブロック図である。
【図６】図５の状態に対応する整流電圧と駆動電流を示す波形図である。
【図７】図２の照明部が直列に接続されたことを例示するブロック図である。
【図８】図７の状態に対応する整流電圧と駆動電流を示す波形図である。
【図９】本発明の第２の実施形態の照明装置を示すブロック図である。
【図１０】電圧判断部を備える図９の変形例を示すブロック図である。
【図１１】図１０の駆動回路を例示する回路図である。
【図１２】本発明の第３の実施形態の照明装置を示すブロック図である。
【図１３】電圧判断部を備える図１２の変形例を示すブロック図である。
【図１４】本発明の第４の実施形態の照明装置を示すブロック図である。
【発明を実施するための形態】
【００１４】
以下、添付した図面を参照して、本発明の好ましい実施例を詳細に説明する。本明細書および特許請求の範囲に使用された用語は、通常または辞書的な意味に限定されて解釈されず、本発明の技術的事項に符合する意味と概念で解釈されなければならない。
【００１５】
本明細書に記載された実施例と図面に示された構成は本発明の好ましい実施例であり、本発明の技術的思想をすべて代弁するものではないので、本出願時点においてこれらを代替できる多様な均等物と変形例があり得る。
本発明は、電力環境の変化に対応する汎用性を有するように駆動電流を制御するように実施できる。
【００１６】
このために、本発明の第１の実施形態の照明装置は、１１０Ｖの交流電圧を提供する電力環境や、２２０Ｖの交流電圧を提供する電力環境などといった異なる電力環境でも照明を行うことができる汎用性を有するように構成される。
【００１７】
このために、本実施形態の照明装置は、２つの照明部を備えるものを例示し、２つの照明部の接続状態に対応して、各照明部の駆動に対応する駆動電流のうちの少なくとも１つの電流量を変更するように構成される。本実施形態の照明装置は、駆動電流制御回路を備え、駆動電流制御回路が、駆動電流のうちの少なくとも１つの電流量を変更するように構成される。２つの照明部は、少なくとも１つの発光ダイオードを有し、直列または並列に接続される。
【００１８】
本実施形態の照明装置は、２つの照明部を電気的に直列または並列に接続することを手動で変更するためのスイッチと、駆動電流のうちの少なくとも１つを手動で変更するためのスイッチとを備えることができる。
【００１９】
そして、本実施形態の照明装置は、整流電圧を互いにレベルの異なる第１整流電圧と第２整流電圧に区分し、整流電圧を区分した判断信号を提供する電圧判断部を備え、判断信号の変化に対応して、照明部を電気的に直列または並列に接続する接続回路を備えることができる。ここで、２つの照明部にそれぞれ対応する駆動回路の駆動電流のうちの少なくとも１つの電流量が、判断信号の変化に対応して変更できる。
【００２０】
上記において、駆動電流制御回路は、駆動電流のうちの少なくとも１つの電流量を減少させることができ、より好ましくは、直列接続された照明部のうち、先順位に発光する照明部の駆動電流の量を減少させることができる。
また、駆動電流制御回路は、駆動電流の電流量を同一または異なる比率で減少させることができる。
【００２１】
さらに、駆動電流制御回路は、駆動電流のうちの一部の電流量は減少させ、残りの一部の電流量は増加させることができる。この場合、直列接続された照明部のうち、先順位に発光する照明部の駆動電流の電流量は減少させ、後順位に発光する照明部の駆動電流の電流量は増加させることができる。
【００２２】
第１照明部および第２照明部が構成される場合、駆動電流制御回路は、第１照明部に対応する第１駆動回路の第１電流経路に接続される第１センシング抵抗の第１センシング抵抗値、第２照明部に対応する第２駆動回路の第２電流経路に接続される第２センシング抵抗の第２センシング抵抗値、第１駆動回路に第１電流経路を制御するために適用される第１基準電圧、および第２駆動回路に第２電流経路を制御するために適用される第２基準電圧のうちの少なくとも１つを制御して、第１駆動電流および第２駆動電流のうちの少なくとも１つの電流量を変更することができる。
【００２３】
上述した第１の実施形態は、以下、図面を参照して理解できる。
本発明の第１の実施形態の照明装置は、図１に示されるように、電源部１０と、照明部２０，２２と、駆動回路３０，３２と、接続回路５０と、駆動電流制御回路とを備える。図１の照明装置の駆動電流制御回路は、センシング抵抗の抵抗値を制御することにより駆動電流を制御するもので構成され、このため、駆動電流制御回路がセンシング抵抗回路６０を備える。
【００２４】
電源部１０は、整流電圧Ｖｒｅｃを提供するように構成され、このため、交流電源ＶＡＣと、整流器１２とを備えることができる。交流電源ＶＡＣは、商用交流電源で構成され、交流電圧を提供する。一例として、交流電源ＶＡＣは、１１０Ｖの交流電圧を提供する商用交流電源、または２２０Ｖの交流電圧を提供する商用交流電源であるとよい。整流器１２は、交流電源ＶＡＣの交流電圧を全波整流した整流電圧Ｖｒｅｃを出力する。整流器１２は、通常のブリッジダイオード構造を有するように構成される。
【００２５】
電源部１０から提供される整流電圧Ｖｒｅｃは、交流電圧の半周期に対応するリップル成分を有する。そして、電源部１０から提供される整流電圧Ｖｒｅｃは、１１０Ｖの交流電圧に対応する場合、１１０Ｖに相当するピーク値を有し、２２０Ｖの交流電圧に対応する場合、２２０Ｖに相当するピーク値を有する。以下、本発明の第１の実施形態において、整流電圧Ｖｒｅｃの変化は、リップルの増減を意味すると定義する。
【００２６】
照明部２０，２２は、整流電圧Ｖｒｅｃに対応して発光し、発光ダイオードを備える。照明部２０，２２に備えられた発光ダイオードは、複数の発光ダイオードグループに区分され、図１では、直列に接続された４つの発光ダイオードグループをそれぞれ備える照明部２０，２２を例示する。すなわち、照明部２０は、直列に接続された発光ダイオードグループＬＥＤ１，ＬＥＤ２，ＬＥＤ３，ＬＥＤ４を備え、照明部２２は、直列に接続された発光ダイオードグループＬＥＤ５，ＬＥＤ６，ＬＥＤ７，ＬＥＤ８を備える。照明部２０，２２に備えられる発光ダイオードグループの数は、製作者の意図によって多様に適用可能である。
【００２７】
また、各照明部２０，２２に備えられた発光ダイオードグループは、少なくとも１つの発光ダイオード、または、直列、並列または直並列接続された複数の発光ダイオードを備えることができる。
【００２８】
照明部２０，２２は、接続回路５０のスイッチング状態によって電気的な接続状態が決定される。接続回路５０は、照明部２０，２２を直列または並列に接続することができる。
接続回路５０は、照明部２０，２２の接続状態を並列または直列に変更するスイッチを備えて構成される。
【００２９】
より具体的には、接続回路５０は、整流電圧Ｖｒｅｃが印加される並列端子Ｐと、照明部２０の直列接続された発光ダイオードグループのうちの最後の発光ダイオードグループＬＥＤ４の出力端に接続される直列端子Ｓと、照明部２２の直列接続された発光ダイオードグループのうちの１番目の発光ダイオードグループＬＥＤ５に接続される共通端子Ｃとを備えるスイッチで構成され、共通端子Ｃは、並列端子Ｐまたは直列端子Ｓに接続される。
【００３０】
接続回路５０の共通端子Ｃと並列端子Ｐとが接続された場合、照明部２０，２２は、電気的に並列に接続され、接続回路５０の共通端子Ｃと直列端子Ｓとが接続された場合、照明部２０，２２は、電気的に直列に接続される。
【００３１】
整流電圧Ｖｒｅｃのレベルが直列に接続された照明部２０，２２の全体発光ダイオードグループを順次に発光させるのに不十分な場合、接続回路５０は、照明部２０，２２を電気的に並列に接続する。この場合、整流電圧Ｖｒｅｃの変化に対応して、順次発光は、並列に接続された各照明部２０，２２の単位で進行する。
【００３２】
そして、整流電圧Ｖｒｅｃのレベルが直列に接続された照明部２０，２２の全体発光ダイオードグループを順次に発光させるのに十分な場合、接続回路５０は、照明部２０，２２を電気的に直列に接続する。この場合、整流電圧Ｖｒｅｃの変化に対応して、順次発光は、直列に接続された照明部２０，２２に備えられた全体発光ダイオードグループＬＥＤ１，ＬＥＤ２，ＬＥＤ３，ＬＥＤ４，ＬＥＤ５，ＬＥＤ６，ＬＥＤ７，ＬＥＤ８に対して進行する。
【００３３】
一方、発光ダイオードグループが発光する電圧は、発光電圧と定義することができる。より具体的には、発光ダイオードグループＬＥＤ１が発光する電圧は、発光ダイオードグループＬＥＤ１の発光電圧Ｖ１と定義することができ、発光ダイオードグループＬＥＤ１，ＬＥＤ２が発光する電圧は、発光ダイオードグループＬＥＤ２の発光電圧Ｖ２と定義することができる。また、、発光ダイオードグループＬＥＤ１，ＬＥＤ２，ＬＥＤ３が発光する電圧は、発光ダイオードグループＬＥＤ３の発光電圧Ｖ３と定義することができ、発光ダイオードグループＬＥＤ１，ＬＥＤ２，ＬＥＤ３，ＬＥＤ４が発光する電圧は、発光ダイオードグループＬＥＤ４の発光電圧Ｖ４と定義することができる。
【００３４】
照明部２０，２２が直列に接続された場合、発光ダイオードグループＬＥＤ１，ＬＥＤ２，ＬＥＤ３，ＬＥＤ４，ＬＥＤ５が発光する電圧は、発光ダイオードグループＬＥＤ５の発光電圧Ｖ５と定義することができる。発光ダイオードグループＬＥＤ１，ＬＥＤ２，ＬＥＤ３，ＬＥＤ４，ＬＥＤ５，ＬＥＤ６が発光する電圧は、発光ダイオードグループＬＥＤ６の発光電圧Ｖ６と定義することができる。発光ダイオードグループＬＥＤ１，ＬＥＤ２，ＬＥＤ３，ＬＥＤ４，ＬＥＤ５，ＬＥＤ６，ＬＥＤ７が発光する電圧は、発光ダイオードグループＬＥＤ７の発光電圧Ｖ７と定義することができる。発光ダイオードグループＬＥＤ１，ＬＥＤ２，ＬＥＤ３，ＬＥＤ４，ＬＥＤ５，ＬＥＤ６，ＬＥＤ７，ＬＥＤ８が発光する電圧は、発光ダイオードグループＬＥＤ８の発光電圧Ｖ８と定義することができる。
【００３５】
駆動回路３０，３２は、照明部２０，２２の発光のための電流を調節し、順次発光のための電流経路を提供する。
より具体的には、駆動回路３０は、整流電圧Ｖｒｅｃの変化に応じて、照明部２０の発光ダイオードグループＬＥＤ１，ＬＥＤ２，ＬＥＤ３，ＬＥＤ４が発光することに対応して変化する電流経路を提供し、電流経路に対する電流を調節するように構成される。
【００３６】
このために、駆動回路３０は、照明部２０に備えられた発光ダイオードグループＬＥＤ１，ＬＥＤ２，ＬＥＤ３，ＬＥＤ４の各出力端に接続され、チャネルを形成する端子Ｃ１，Ｃ２，Ｃ３，Ｃ４を備え、内部に形成された電流経路をセンシング抵抗と接続するためのセンシング抵抗端子Ｒｉｓｅｔ１と、接地のための接地端子ＧＮＤ１とを備える。
駆動回路３０は、電流経路を提供するために、センシング抵抗端子Ｒｉｓｅｔ１を介して提供されるセンシング電圧を用いる。
【００３７】
駆動回路３０は、センシング電圧と、各発光ダイオードグループＬＥＤ１，ＬＥＤ２，ＬＥＤ３，ＬＥＤ４に対応して内部で提供される基準電圧とをそれぞれ比較する。センシング電圧と基準電圧とをそれぞれ比較した結果に応じて、駆動回路３０は、センシング抵抗端子Ｒｉｓｅｔ１と端子Ｃ１，Ｃ２，Ｃ３，Ｃ４との間を接続する電流経路を提供することができる。
【００３８】
駆動回路３２も、照明部２２に備えられた発光ダイオードグループＬＥＤ５，ＬＥＤ６，ＬＥＤ７，ＬＥＤ８の各出力端に接続され、チャネルを形成する端子Ｃ５，Ｃ６，Ｃ７，Ｃ８を備え、内部に形成された電流経路をセンシング抵抗と接続するためのセンシング抵抗端子Ｒｉｓｅｔ２と、接地のための接地端子ＧＮＤ２とを備える。駆動回路３２が電流経路を提供するための動作は、駆動回路３０と同一であるので、これに関する説明は省略する。
駆動回路３０，３２は、内部の基準電圧が同一に設定されることが好ましい。
【００３９】
そして、駆動回路３０，３２は、１つの集積回路で実現できる。
照明部２０，２２は、直列または並列に接続された状態で、周期的に増減する整流電圧Ｖｒｅｃの変化に対応して順次発光を行う。整流電圧Ｖｒｅｃが上昇すると、順次発光する発光ダイオードグループの数が増加し、整流電圧Ｖｒｅｃが下降すると、順次発光する発光ダイオードグループの数が減少する。そして、駆動回路３０，３２は、直列または並列に接続された照明部２０，２２の順次発光に対応して変更された電流経路を提供し、順次発光のための電流経路上の駆動電流は段階的に変化する。
【００４０】
センシング抵抗回路６０は、駆動回路３０，３２の駆動電流を制御し、照明部２０，２２の接続状態の変更に対応して、駆動回路３０，３２のうち、駆動回路３０の駆動電流の量を変化させるように構成されることにより、駆動電流制御回路の役割を果たす。このため、センシング抵抗回路６０は、照明部２０，２２の接続状態の変更に対応して、駆動回路３０に適用されるセンシング抵抗の抵抗値およびセンシング電圧を変更し、その結果、駆動回路３０に提供する駆動電流の電流量を変更する。
【００４１】
センシング抵抗回路６０は、消費電力を基準として、駆動回路３０，３２の駆動電流のうちの少なくとも１つの電流量を制御することができる。一例として、センシング抵抗回路６０は、高い消費電力が、低い消費電力を基準として０．５倍〜１．５倍の範囲に形成するように、駆動電流のうちの少なくとも１つの電流量を変更することができる。
【００４２】
より具体的には、センシング抵抗回路６０は、照明部２０，２２が直列に接続された場合、駆動回路３０の消費電力を変更するために、駆動電流の電流量を減少させるように構成される。このため、センシング抵抗回路６０は、照明部２０，２２が直列に接続された場合、駆動電流の電流量を減少させるために、駆動回路３０に上昇したセンシング抵抗の抵抗値およびセンシング電圧を提供する。
【００４３】
すなわち、センシング抵抗回路６０は、照明部２０，２２が直列に接続された場合、先発光する照明部２０に接続された駆動回路３０のセンシング電圧が高いレベルを有するようにセンシング抵抗の抵抗値を変更する。すなわち、センシング抵抗回路６０は、照明部２０，２２が直列に接続された場合、先発光する照明部２０の駆動電流を減少させる。
【００４４】
センシング抵抗回路６０は、駆動回路３０の電流経路に接続されるためにセンシング抵抗端子Ｒｉｓｅｔ１に接続されるセンシング抵抗Ｒｓ１と、駆動回路３２の電流経路に接続されるためにセンシング抵抗端子Ｒｉｓｅｔ２に接続されるセンシング抵抗Ｒｓ２と、センシング抵抗Ｒｓ１，Ｒｓ２に共通に接続されるスイッチ５２と、スイッチ５２と並列に接続されるセンシング抵抗Ｒｓ３とを備える。ここで、センシング抵抗Ｒｓ１は、駆動回路３０の電流調節のために用いられる。そして、センシング抵抗Ｒｓ２は、駆動回路３２のセンシング抵抗端子Ｒｉｓｅｔ２と接地端子ＧＮＤ２との間に接続され、駆動回路３２の電流調節のために用いられ、固定された抵抗値とそれに対応するセンシング電圧を提供する。
【００４５】
センシング抵抗回路６０のスイッチ５２は、照明部２０，２２が並列に接続された場合、ターンオンされる。このため、センシング抵抗回路６０は、スイッチ５２がターンオンされると、センシング抵抗Ｒｓ１の抵抗値およびセンシング電圧によって決定された量の駆動電流が駆動回路３０に流れるように制御する。
【００４６】
また、センシング抵抗回路６０のスイッチ５２は、照明部２０，２２が直列に接続された場合、ターンオフされる。このため、センシング抵抗回路６０は、スイッチ５２がターンオフされると、直列接続されるセンシング抵抗Ｒｓ１，Ｒｓ３の抵抗値およびセンシング電圧によって決定された電流量の駆動電流が駆動回路３０に流れるように制御する。
【００４７】
すなわち、駆動回路３０の駆動電流の電流量は、スイッチ５２のスイッチング状態に対応して変化する。
しかし、駆動回路３２の駆動電流の電流量は、スイッチ５２のスイッチング状態と無関係であり、接地端子ＧＮＤ２に接続されたセンシング抵抗Ｒｓ２の抵抗値およびセンシング電圧に固定されるので変化しない。
【００４８】
一方、接続回路５０に備えられたスイッチとセンシング抵抗回路６０のスイッチ５２は、手動でスイッチング状態が変更されるように構成される。すなわち、使用者が電力環境を考慮して手動でスイッチング状態を変更するように構成される。
【００４９】
ここで、接続回路５０に備えられたスイッチは、１１０Ｖの交流電圧が提供される電力環境の場合、照明部２０，２２が並列に接続されるように設定され、２２０Ｖの交流電圧が提供される電力環境の場合、照明部２０，２２が直列に接続されるように設定される。
上記図１の照明装置と異なる変形例として、照明装置は、図２のように、整流電圧Ｖｒｅｃの状態を表現する代表値を生成し、代表値に対応する判断信号を提供する電圧判断部４０をさらに備えるように実施できる。
【００５０】
図２のように、電圧判断部４０が構成される場合、接続回路５０は、判断信号の変化に対応して、照明部２０，２２の接続状態を変更し、センシング抵抗回路６０は、判断信号の変化に対応して、駆動回路３０の駆動電流の電流量を制御することができる。
電圧判断部４０は、半周期以上の整流電圧Ｖｒｅｃの状態、整流電圧Ｖｒｅｃのピーク値、整流電圧Ｖｒｅｃの平均値、および入力電流の平均値のうちのいずれか１つを代表値として生成することができる。
【００５１】
そして、電圧判断部４０は、予め設定された基準レベルを基準として、整流電圧を第１整流電圧と第２整流電圧に区分し、基準レベルは、第１整流電圧および第２整流電圧のうちのレベルの低いものの１．１倍〜２．６倍に設定される。
【００５２】
一方、図１および図２の駆動回路３０は、図３を参照して説明できる。
駆動回路３０は、発光ダイオードグループＬＥＤ１，ＬＥＤ２，ＬＥＤ３，ＬＥＤ４に対する電流経路を提供する複数のスイッチング回路３１，３２，３３，３４と、基準電圧ＶＲＥＦ１，ＶＲＥＦ２，ＶＲＥＦ３，ＶＲＥＦ４を提供するための基準電圧供給部３６とを備える。
【００５３】
基準電圧供給部３６は、製作者の意図によって互いに異なるレベルの基準電圧ＶＲＥＦ１，ＶＲＥＦ２，ＶＲＥＦ３，ＶＲＥＦ４を提供するもので実現できる。
基準電圧供給部３６は、例示的に、直列接続された複数の抵抗を有し、直列接続された複数の抵抗は定電圧Ｖｄ１が印加され、接地端子ＧＮＤ１に接続される。基準電圧供給部３６は、抵抗間のノードごとに互いに異なるレベルの基準電圧ＶＲＥＦ１，ＶＲＥＦ２，ＶＲＥＦ３，ＶＲＥＦ４を出力するように構成される。また、基準電圧供給部３６は、上記と異なり、互いに異なるレベルの基準電圧ＶＲＥＦ１，ＶＲＥＦ２，ＶＲＥＦ３，ＶＲＥＦ４を提供する独立した電圧供給源を備えるもので構成される。
【００５４】
互いに異なるレベルの基準電圧ＶＲＥＦ１，ＶＲＥＦ２，ＶＲＥＦ３，ＶＲＥＦ４は、基準電圧ＶＲＥＦ１が最も低い電圧レベルを有し、基準電圧ＶＲＥＦ４が最も高い電圧レベルを有し、基準電圧ＶＲＥＦ１，ＶＲＥＦ２，ＶＲＥＦ３，ＶＲＥＦ４の順に次第に電圧レベルが高くなるように提供される。
【００５５】
基準電圧ＶＲＥＦ１は、発光ダイオードグループＬＥＤ２が発光する時点で、スイッチング回路３１をターンオフするためのレベルを有する。より具体的には、基準電圧ＶＲＥＦ１は、発光ダイオードグループＬＥＤ２の発光時点で、センシング抵抗Ｒｓ１に形成されるセンシング電圧より低いレベルに設定される。
【００５６】
そして、基準電圧ＶＲＥＦ２は、発光ダイオードグループＬＥＤ３が発光する時点で、スイッチング回路３２をターンオフするためのレベルを有する。より具体的には、基準電圧ＶＲＥＦ２は、発光ダイオードグループＬＥＤ３の順次発光時点で、センシング抵抗Ｒｓ１に形成されるセンシング電圧より低いレベルに設定される。
【００５７】
そして、基準電圧ＶＲＥＦ３は、発光ダイオードグループＬＥＤ４が発光する時点で、スイッチング回路３３をターンオフするためのレベルを有する。より具体的には、基準電圧ＶＲＥＦ３は、発光ダイオードグループＬＥＤ４の発光時点で、センシング抵抗Ｒｓ１に形成されるセンシング電圧より低いレベルに設定される。
【００５８】
そして、基準電圧ＶＲＥＦ４は、整流電圧Ｖｒｅｃの上限レベル領域でセンシング抵抗Ｒｓ１に流れる電流が所定の定電流形態となるように設定されることが好ましい。
前記基準電圧ＶＲＥＦ１，ＶＲＥＦ２，ＶＥＲＦ３，ＶＲＥＦ４は、スイッチ５２がターンオンされた場合に対応して設定されたと仮定する。
【００５９】
一方、スイッチング回路３１，３２，３３，３４は、電流調節および電流経路形成のために、センシング抵抗Ｒｓ１に共通に接続される。
スイッチング回路３１，３２，３３，３４は、センシング抵抗Ｒｓ１のセンシング電圧と基準電圧供給部３６のそれぞれの基準電圧ＶＲＥＦ１，ＶＲＥＦ２，ＶＲＥＦ３，ＶＲＥＦ４とを比較して、照明部２０の発光のための電流経路を形成する。
【００６０】
スイッチング回路３１，３２，３３，３４は、整流電圧Ｖｒｅｃが印加される位置から遠い発光ダイオードグループＬＥＤ１，ＬＥＤ２，ＬＥＤ３，ＬＥＤ４に接続されたものであるほど、高いレベルの基準電圧を受ける。
【００６１】
各スイッチング回路３１，３２，３３，３４は、比較器３８ａ，３８ｂ，３８ｃ，３８ｄと、スイッチング素子とを備え、スイッチング素子は、ＮＭＯＳトランジスタ３９ａ，３９ｂ，３９ｃ，３９ｄで構成されることが好ましい。
【００６２】
各スイッチング回路３１，３２，３３，３４の比較器３８ａ，３８ｂ，３８ｃ，３８ｄは、ポジティブ入力端（＋）に基準電圧が印加され、ネガティブ入力端（−）にセンシング電圧が印加され、出力端に基準電圧とセンシング電圧とを比較した結果を出力するように構成される。
【００６３】
そして、各スイッチング回路３１，３２，３３，３４のＮＭＯＳトランジスタ３９ａ，３９ｂ，３９ｃ，３９ｄは、ゲートに印加される各比較器３８ａ，３８ｂ，３８ｃ，３８ｄの出力に応じてスイッチング動作を行う。各ＮＭＯＳトランジスタ３９ａ，３９ｂ，３９ｃ，３９ｄのドレインと、各比較器３８ａ，３８ｂ，３８ｃ，３８ｄのネガティブ入力端（−）は、センシング抵抗Ｒｓ１に共通に接続される。
【００６４】
上記の構成によって、センシング抵抗Ｒｓ１は、センシング電圧を各比較器３８ａ，３８ｂ，３８ｃ，３８ｄの入力端（−）に印加する一方、各スイッチング回路３１，３２，３３，３４のＮＭＯＳトランジスタ３９ａ，３９ｂ，３９ｃ，３９ｄに対応する電流経路を提供することができる。
【００６５】
上述した本実施形態の照明装置において、整流電圧Ｖｒｅｃの変化に対応して発光ダイオードグループＬＥＤ１，ＬＥＤ２，ＬＥＤ３，ＬＥＤ４が順次に発光し、発光ダイオードグループＬＥＤ１，ＬＥＤ２，ＬＥＤ３，ＬＥＤ４の順次発光に対応する電流経路が駆動回路３０を介して提供される。
【００６６】
一方、電圧判断部４０は、図４を参照して説明する。
電圧判断部４０は、整流電圧Ｖｒｅｃを分圧する抵抗Ｒ１，Ｒ２と、抵抗Ｒ２に並列接続されたキャパシタＣｐとを備えて構成される。
【００６７】
上記のように構成された電圧判断部４０は、整流電圧Ｖｒｅｃの状態を表現する代表値を生成し、代表値に対応して、基準レベルによってハイレベルまたはローレベルと判断できる判断信号を提供する。
【００６８】
電圧判断部４０は、キャパシタＣｐを用いて、半周期以上の整流電圧Ｖｒｅｃの状態、整流電圧Ｖｒｅｃのピーク値、整流電圧Ｖｒｅｃの平均値、および入力電流の平均値のうちのいずれか１つに対応する代表値を生成することができる。
【００６９】
一例として、１１０Ｖの交流電圧に対応する整流電圧Ｖｒｅｃの平均値と、２２０Ｖの交流電圧に対応する整流電圧Ｖｒｅｃの平均値とは差があり、キャパシタＣｐに保存される代表値は、基準レベルによってハイレベルまたはローレベルと判断できる判断信号ＤＳに変換されて、接続回路５０およびスイッチ５２に提供される。
【００７０】
１１０Ｖの交流電圧に対応する整流電圧Ｖｒｅｃを第１整流電圧とし、２２０Ｖの交流電圧に対応する整流電圧Ｖｒｅｃを第２整流電圧とすれば、電圧判断部４０は、判断信号ＤＳが予め設定された基準レベル以上か否かに応じて、整流電圧を第１整流電圧と第２整流電圧に区分するためのレベルを有するように判断信号ＤＳを提供する。ここで、基準レベルは、第１整流電圧および第２整流電圧のうちの低いレベルの１．１倍〜２．６倍に対応するように設定される。そして、基準レベルは、キャパシタＣｐの容量や抵抗Ｒ１，Ｒ２の抵抗比などを用いて多様に定義できる。
【００７１】
本実施形態の照明装置において、並列動作は、図５および図６を参照して説明し、直列動作は、図７および図８を参照して説明する。
図５および図６の並列動作状態は、整流電圧Ｖｒｅｃに対応する代表値が基準レベルより低い状態であって、判断信号ＤＳがローレベルとして出力される場合に相当する。この時、整流電圧Ｖｒｅｃは、例示的に、１１０Ｖの交流電圧に対応するものと理解できる。
接続回路５０は、判断信号ＤＳがローレベルとして提供されると、並列端子Ｐと共通端子Ｃとの間の経路を提供して、照明部２０，２２を並列に接続する。
【００７２】
センシング抵抗回路６０のスイッチ５２は、判断信号ＤＳがローレベルとして提供されると、ターンオン状態を維持する。その結果、駆動回路３０は、センシング抵抗Ｒｓ１の抵抗値およびセンシング電圧を用いて駆動電流を調節し、駆動回路３２は、センシング抵抗Ｒｓ２の抵抗値およびセンシング電圧を用いて駆動電流を調節する。センシング抵抗Ｒｓ１，Ｒｓ２が同一の抵抗値を有するように設計することが好ましく、この場合、駆動回路３０，３２は、整流電圧Ｖｒｅｃに対応して同一の抵抗値およびセンシング電圧を用いることができ、照明部２０，２２の発光に対応する駆動電流ｉｐｐ１，ｉｐｐ２は、同一の波形およびレベルを有する。
【００７３】
図５および図６に示されるように、照明部２０，２２が並列に接続された場合、整流電圧Ｖｒｅｃの変化に対応する照明部２０および駆動回路３０の動作を説明する。
整流電圧Ｖｒｅｃが初期状態の場合、各スイッチング回路３１，３２，３３，３４は、ポジティブ入力端（＋）に印加される基準電圧ＶＲＥＦ１，ＶＲＥＦ２，ＶＲＥＦ３，ＶＲＥＦ４が、ネガティブ入力端（−）に印加されるセンシング抵抗Ｒｓ１の両端のセンシング電圧より高いので、すべてターンオンされた状態を維持する。しかし、整流電圧Ｖｒｅｃが発光ダイオードグループＬＥＤ１，ＬＥＤ２，ＬＥＤ３，ＬＥＤ４を発光するのに不十分なレベルであるので、発光ダイオードグループＬＥＤ１，ＬＥＤ２，ＬＥＤ３，ＬＥＤ４は発光しない。
【００７４】
その後、整流電圧Ｖｒｅｃが上昇して発光電圧Ｖ１に到達すると、発光ダイオードグループＬＥＤ１が発光する。照明部２０の発光ダイオードグループＬＥＤ１が発光すると、発光ダイオードグループＬＥＤ１に接続されたスイッチング回路３１は、発光のための電流経路を提供する。
【００７５】
整流電圧Ｖｒｅｃが発光電圧Ｖ１に到達して発光ダイオードグループＬＥＤ１が発光し、スイッチング回路３１を介した電流経路が形成されると、一定レベルに増加した駆動電流ｉｐｐ１が発光ダイオードグループＬＥＤ１に供給される。
【００７６】
上述した発光ダイオードグループＬＥＤ１の発光に対応して、電流ｉｐｐ１が、発光ダイオードグループＬＥＤ１、駆動回路３０のスイッチング回路３１およびセンシング抵抗Ｒｓ１を経由する経路に流れる。
【００７７】
その後、整流電圧Ｖｒｅｃが上昇し続けて発光電圧Ｖ２に到達すると、発光ダイオードグループＬＥＤ２が発光する。照明部２０の発光ダイオードグループＬＥＤ２が発光すると、発光ダイオードグループＬＥＤ２に接続されたスイッチング回路３２は、発光のための電流経路を提供する。
【００７８】
上記のように、整流電圧Ｖｒｅｃが発光電圧Ｖ２に到達して発光ダイオードグループＬＥＤ２が発光し、スイッチング回路３２を介した電流経路が形成されると、センシング抵抗Ｒｓ１のセンシング電圧のレベルが上昇する。この時のセンシング電圧のレベルは、基準電圧ＶＲＥＦ１より高い。そのため、スイッチング回路３１のＮＭＯＳトランジスタ３９ａは、比較器３８ａの出力によってターンオフされる。すなわち、スイッチング回路３１はターンオフされ、スイッチング回路３２が発光ダイオードグループＬＥＤ２の発光に対応する電流経路を提供する。この時、発光ダイオードグループＬＥＤ１も発光状態を維持し、駆動電流ｉｐｐ１のレベルは、スイッチング回路３２によって調節されるレベルに上昇する。
【００７９】
その後、整流電圧Ｖｒｅｃが上昇し続けて発光電圧Ｖ３に到達すると、発光ダイオードグループＬＥＤ３が発光する。発光ダイオードグループＬＥＤ３が発光すると、発光ダイオードグループＬＥＤ３に接続されたスイッチング回路３３は、発光のための電流経路を提供する。
【００８０】
上記のように、整流電圧Ｖｒｅｃが発光電圧Ｖ３に到達して発光ダイオードグループＬＥＤ３が順次発光し、スイッチング回路３３を介した電流経路が形成されると、センシング抵抗Ｒｓ１のセンシング電圧のレベルが上昇する。このときのセンシング電圧のレベルは、基準電圧ＶＲＥＦ２より高い。そのため、スイッチング回路３２のＮＭＯＳトランジスタ３９ｂは、比較器３８ｂの出力によってターンオフされる。すなわち、スイッチング回路３２はターンオフされ、スイッチング回路３３が発光ダイオードグループＬＥＤ３の順次発光に対応する電流経路を提供する。このとき、発光ダイオードグループＬＥＤ１，ＬＥＤ２も発光状態を維持し、駆動電流ｉｐｐ１のレベルは、スイッチング回路３３によって調節されるレベルに上昇する。
【００８１】
その後、整流電圧Ｖｒｅｃが上昇し続けて発光電圧Ｖ４に到達すると、発光ダイオードグループＬＥＤ４が発光する。発光ダイオードグループＬＥＤ４が発光すると、発光ダイオードグループＬＥＤ４に接続されたスイッチング回路３４は、発光のための電流経路を提供する。
【００８２】
上記のように、整流電圧Ｖｒｅｃが発光電圧Ｖ４に到達して発光ダイオードグループＬＥＤ４が順次発光し、スイッチング回路３４を介した電流経路が形成されると、センシング抵抗Ｒｓ１のセンシング電圧のレベルが上昇する。この時のセンシング電圧のレベルは、基準電圧ＶＲＥＦ３より高い。そのため、スイッチング回路３３のＮＭＯＳトランジスタ３９ｃは、比較器３８ｃの出力によってターンオフされる。すなわち、スイッチング回路３３はターンオフされ、スイッチング回路３４が発光ダイオードグループＬＥＤ４の順次発光に対応する電流経路を提供する。このとき、発光ダイオードグループＬＥＤ１，ＬＥＤ２，ＬＥＤ３も発光状態を維持し、駆動電流ｉｐｐ１のレベルは、スイッチング回路３４によって調節されるレベルに上昇する。
【００８３】
発光ダイオードグループＬＥＤ４の発光は、整流電圧Ｖｒｅｃが最大値まで上昇した後、下降して発光電圧Ｖ４に到達するまで維持される。
以後、整流電圧Ｖｒｅｃが減少すると、発光ダイオードグループＬＥＤ４、ＬＥＤ３、ＬＥＤ２、ＬＥＤ１に接続されたスイッチング回路３４，３３，３２，３１が順次にターンオフされ、発光ダイオードグループＬＥＤ１，ＬＥＤ２，ＬＥＤ３，ＬＥＤ４は順次に消光し、駆動電流ｉｐｐ１も段階的に減少する。
【００８４】
整流電圧Ｖｒｅｃの変化に対応する照明部２２および駆動回路３２の動作も、上述した照明部２０および駆動回路３０の動作と同一に併行される。そのため、これに関する説明は省略する。
【００８５】
ここで、全体駆動電流ｉｒｅｃは、並列に接続された照明部２０，２２の各駆動電流ｉｐｐ１，ｉｐｐ２の合計と等しく、電流経路は、駆動回路３０による電流経路ＰＰ１と駆動回路３２による電流経路ＰＰ２が同時に形成される。
【００８６】
一方、図７および図８の直列動作状態は、整流電圧Ｖｒｅｃに対応する代表値が基準レベル以上の状態であって、判断信号ＤＳがハイレベルとして出力される場合に相当する。このとき、整流電圧Ｖｒｅｃは、例示的に、２２０Ｖの交流電圧に対応するものと理解できる。
【００８７】
接続回路５０は、判断信号ＤＳがハイレベルとして提供されると、直列端子Ｓと共通端子Ｃとの間の経路を提供して、照明部２０，２２を直列に接続する。
センシング抵抗回路６０のスイッチ５２は、判断信号ＤＳがハイレベルとして提供されると、ターンオフ状態を維持する。その結果、駆動回路３０は、センシング抵抗Ｒｓ１，Ｒｓ３の抵抗値とセンシング電圧を用いて電流経路を提供し調節し、駆動回路３２は、センシング抵抗Ｒｓ２の抵抗値とセンシング電圧を用いて電流経路を提供し調節する。このとき、センシング抵抗Ｒｓ１，Ｒｓ３の抵抗値とセンシング電圧は、センシング抵抗Ｒｓ１の抵抗値とセンシング電圧より高い。
【００８８】
このため、図７および図８に示されるように、照明部２０，２２が直列に接続された状態で、駆動回路３０の駆動電流は、図５および図６のようにスイッチ５２がターンオンされた場合より減少し、結局、センシング抵抗回路６０は、駆動回路３０の駆動電流を減少させる。
一例として、１１０Ｖの交流電圧に対応する整流電圧Ｖｒｅｃに対応して照明部２０が並列に接続される場合、駆動回路３０の各チャネルごとの消耗電流は、発光ダイオードグループＬＥＤ１：発光ダイオードグループＬＥＤ２：発光ダイオードグループＬＥＤ３：発光ダイオードグループＬＥＤ４＝２０ｍＡ：４０ｍＡ：５０ｍＡ：６０ｍＡとなる。このとき、駆動回路３２のセンシング抵抗値は、駆動回路３０と同一であるので、駆動回路３０の各チャネルごとの消耗電流も同一である。
【００８９】
しかし、照明部２０，２２が直列に接続された場合、駆動回路３０は、センシング抵抗Ｒｓ３が付加されることによって、センシング抵抗Ｒｓ１，Ｒｓ３による抵抗値とセンシング電圧が上昇する。このため、駆動回路３０の各チャネルごとの消耗電流が、発光ダイオードグループＬＥＤ１：発光ダイオードグループＬＥＤ２：発光ダイオードグループＬＥＤ３：発光ダイオードグループＬＥＤ４＝５ｍＡ：１０ｍＡ：１２．５ｍＡ：１５ｍＡとなる。このとき、駆動回路３２は、センシング抵抗Ｒｓ２によって固定されたセンシング抵抗値とセンシング電圧を用いるため、各チャネルごとの消耗電流は、発光ダイオードグループＬＥＤ５：発光ダイオードグループＬＥＤ６：発光ダイオードグループＬＥＤ７：発光ダイオードグループＬＥＤ８＝２０ｍＡ：４０ｍＡ：５０ｍＡ：６０ｍＡに維持される。
【００９０】
以上のように、照明部２０，２２が直列に接続され、それに対応して駆動回路３０のセンシング抵抗の抵抗値とセンシング電圧が上昇した場合、発光は、発光ダイオードグループＬＥＤ１，ＬＥＤ２，ＬＥＤ３，ＬＥＤ４，ＬＥＤ５，ＬＥＤ６，ＬＥＤ７，ＬＥＤ８の全体に対して順次に進行する。
【００９１】
そして、照明部２０の発光ダイオードグループＬＥＤ１，ＬＥＤ２，ＬＥＤ３，ＬＥＤ４は、センシング抵抗値およびセンシング電圧が駆動回路３０に高く形成されることによって、並列の場合より低い整流電圧Ｖｒｅｃに対応して順次に発光し、発光ダイオードグループＬＥＤ１，ＬＥＤ２，ＬＥＤ３，ＬＥＤ４の順次発光に対応して駆動電流ｉｓｐも段階的に増加する。
【００９２】
そして、照明部２０の順次発光後、整流電圧Ｖｒｅｃが上昇すると、照明部２２の順次発光が進行し、駆動回路３２は、照明部２２の順次発光に対応する電流経路の提供と電流の調節を行う。このとき、駆動回路３２に適用されるセンシング電圧は、センシング抵抗Ｒｓ２の抵抗値によって決定され、駆動回路３０に提供されるセンシング電圧より低い。
【００９３】
前記照明部２０，２２の順次発光およびそれに対応する駆動回路３０，３２の動作は、図５および図６を参照して説明したところにより理解できるので省略する。
ここで、全体駆動電流ｉｒｅｃは、直列に接続された照明部２０，２２に入力される駆動電流ｉｒｅｃと実質的に同一である。そして、電流経路は、駆動回路３０による電流経路ＳＰ１が先に形成された後、整流電圧Ｖｒｅｃの増加によって駆動回路３２による電流経路ＳＰ２が後に形成される。
【００９４】
上述したように、センシング抵抗回路６０は、駆動電流制御回路として動作する。より具体的には、照明部２０，２２が直列に接続された場合に対応して、センシング抵抗回路６０は、駆動回路３０による電流経路（第１電流経路）および駆動回路３２による電流経路（第２電流経路）の駆動電流を制御し、先発光する照明部２０に対応する駆動回路３０の駆動電流の電流量を減少させる。
【００９５】
このとき、センシング抵抗回路６０は、駆動回路３０，３２の駆動電流による消費電力のうちの高い消費電力が、低い消費電力を基準として０．５倍〜１．５倍の範囲に形成されるように、駆動回路３０の駆動電流の電流量を変更することができる。
【００９６】
一方、本実施形態の照明装置は、照明部２０，２２が直列に接続された場合、照明部２０，２２のそれぞれのチャネルの数より、順次発光によって駆動電流の量で区分される全体チャネルの数が多くなるように制御されることが好ましい。すなわち、照明部２０がＸ（Ｘは自然数）個のチャネルを有し、照明部２２がＹ（Ｙは自然数）個のチャネルを有し、照明部２０、２２が直列に接続された場合、順次発光によって駆動電流の量で区分される全体チャネルの数が、Ｘ個およびＹ個のうちの個数が多い方以上に形成される。
【００９７】
上述した構成によって、本実施形態の照明装置は、１１０Ｖ交流電圧の電力環境の変化に対する汎用性を有することができる。
より具体的には、本実施形態の照明装置は、照明装置に備えられた発光ダイオードグループの電気的な接続状態が整流電圧の状態に応じて直列または並列に変更可能で、電力環境の変化に対応する汎用性を有することができる。
【００９８】
また、本発明の第２の実施形態として、照明装置は、駆動回路３０，３２の駆動電流を制御するために、基準電圧を変更するように駆動電流制御回路が実施でき、図９および図１０に示されるように例示できる。
【００９９】
図９の照明装置は、照明部２０，２２の接続状態を手動で変更し、基準電圧制御回路７０のスイッチング状態を手動でセッティングすることを例示したものである。そして、図１０の照明装置は、電圧判断部４０を備え、電圧判断部４０の判断信号ＤＳを用いて、照明部２０，２２の接続状態を変更し、電圧判断部４０の判断信号ＤＳを用いて、基準電圧制御回路７０のスイッチング状態をセッティングすることを例示したものである。図９および図１０の照明装置は、駆動電流制御回路としてセンシング抵抗回路６２および基準電圧制御回路７０を備える。この場合、駆動電流制御回路は、基準電圧制御回路７０の動作によって駆動回路３０の基準電圧を変更し、その結果、駆動回路３０の駆動電流を減少させるためのものである。
【０１００】
図９および図１０の照明装置は、電圧判断部４０の構成が異なるだけであるので、図１０を参照して構成および動作を説明する。
図１０を参照すれば、駆動電流制御回路に備えられるセンシング抵抗回路６２は、駆動回路３０，３２に対して固定されたセンシング抵抗値と固定されたセンシング電圧を提供し、駆動電流制御回路に備えられる基準電圧制御回路７０は、基準電圧を制御して、駆動回路３０の駆動電流の電流量を制御するように構成される。図１０の照明装置の場合、上記の構成を除いた残りの構成要素は、図２と同一であるので、これに関する重複説明は省略する。
【０１０１】
基準電圧制御回路７０は、定電圧Ｖｄ２が印加される、直列に接続された抵抗Ｒａ，Ｒａ１，Ｒａ２を備え、抵抗Ｒａと抵抗Ｒａ１との間のノードが駆動回路の基準電圧端Ｖｒｅｆａに接続され、抵抗Ｒａ２に並列にスイッチ５４が構成される。スイッチ５４は、電圧判断部４０の判断信号に対応してスイッチングされる。
判断信号ＤＳによって、スイッチ５４は、照明部２０，２２が並列に構成されるとき、ターンオフされ、照明部２０，２２が直列に構成されるとき、ターンオンされる。
【０１０２】
上記したところにより、照明部２０，２２が並列に接続される場合、駆動回路３０の基準電圧は、基準電圧端Ｖｒｅｆａに印加される電圧によって決定され、このとき、駆動回路３０，３２は、同一の基準電圧を生成することができる。この場合、駆動回路３０の基準電圧端Ｖｒｅｆａには、スイッチ５４のターンオフによって直列に接続された抵抗Ｒａ，Ｒａ１，Ｒａ２のうち、抵抗Ｒａと抵抗Ｒａ１との間のノードに印加される電圧が印加される。基準電圧端Ｖｒｅｆａに印加される電圧は、抵抗Ｒａと抵抗Ｒａ１，Ｒａ２との間の抵抗比に対応して決定される。
【０１０３】
しかし、照明部２０，２２が直列に接続される場合、スイッチ５４は、判断信号ＤＳによってターンオンされる。その結果、駆動回路３０の基準電圧端Ｖｒｅｆａに印加される電圧は、抵抗Ｒａと抵抗Ｒａ１との間の抵抗比に対応して決定される。すなわち、基準電圧端Ｖｒｅｆａに印加される電圧が低くなり、その結果、駆動回路３０の基準電圧が減少し、駆動回路３０の駆動電流も減少する。
【０１０４】
より具体的には、照明部２０，２２が並列に接続される場合、駆動回路３０，３２は、基準電圧をチャネルごとに０．４Ｖ、０．８Ｖ、１．０Ｖ、１．２Ｖとして提供することができる。
【０１０５】
しかし、照明部２０，２２が直列に接続される場合、駆動回路３０は、基準電圧端Ｖｒｅｆａに印加される電圧が低くなることによって、基準電圧をチャネルごとに０．１Ｖ、０．２Ｖ、０．２５Ｖ、０．３Ｖとして提供することができる。このような基準電圧の変化によって、駆動回路３０のチャネルごとの消耗電流は、上述した照明装置の場合のように変更できる。
【０１０６】
駆動回路３０の基準電圧の変更は、図１１を参照して理解できる。
駆動回路３０の基準電圧供給部３６は、直列に接続された抵抗のうち、抵抗Ｒｂおよび抵抗Ｒｂ４の間のノードに印加される基準電圧端Ｖｒｅｆａの電圧に応じて、全体基準電圧を変更することができる。
【０１０７】
すなわち、 基準電圧供給部３６は、基準電圧端Ｖｒｅｆａに印加される電圧が減少すると、全体基準電圧も減少させる。
したがって、駆動回路３０は、照明部２０，２２が直列接続された場合、減少した基準電圧を用いて動作する。
【０１０８】
以下、図１０の照明装置の動作を説明する。
接続回路５０は、判断信号ＤＳがローレベルとして提供されると、並列端子Ｐと共通端子Ｃとの間の経路を提供して、照明部２０，２２を並列に接続する。
この時、駆動回路３０，３２は、同一の基準電圧を生成することができる。そして、駆動回路３０，３２のセンシング電圧も、センシング抵抗Ｒｓ１，Ｒｓ２，Ｒｓ３によって同一に固定される。
【０１０９】
このため、照明部２０，２２は並列に接続され、整流電圧の変化に対応してそれぞれ順次発光を行い、このとき、駆動回路３０，３２の各チャネルごとの駆動電流も同一である。
しかし、接続回路５０は、判断信号ＤＳがハイレベルとして提供されると、直列端子Ｓと共通端子Ｃとの間の経路を提供して、照明部２０，２２を直列に接続する。このとき、駆動回路３０の基準電圧は、基準電圧制御回路７０の作用によって減少し、駆動回路３２の基準電圧は、並列の時と同一に維持される。
【０１１０】
以上のように、照明部２０，２２が直列に接続され、それに対応して駆動回路３０の基準電圧が減少すると、照明部２０，２２の発光ダイオードグループＬＥＤ１，ＬＥＤ２，ＬＥＤ３，ＬＥＤ４，ＬＥＤ５，ＬＥＤ６，ＬＥＤ７，ＬＥＤ８は、全体的に順次発光する。この場合、駆動電流制御回路に備えられる基準電圧制御回路７０の作用によって、駆動回路３０の基準電圧と駆動電流は、照明部２０，２２が並列に接続された場合より減少する。
【０１１１】
また、本発明の第３の実施形態は、駆動回路３０，３２の駆動電流をすべて制御するように実施でき、この場合、駆動電流制御回路は、センシング抵抗の抵抗値と基準電圧を変更するように実施でき、図１２および図１３に示されるように例示できる。駆動電流制御回路は、図１２および図１３に示されるように、センシング抵抗回路６４と、基準電圧制御回路７２とを備えるものと理解できる。
【０１１２】
図１２は、照明部２０，２２の接続状態を手動で変更し、センシング抵抗回路６４および基準電圧制御回路７２のスイッチング状態を手動でセッティングすることを例示したものである。そして、図１３は、照明装置が電圧判断部４０を備え、電圧判断部４０の判断信号ＤＳを用いて、照明部２０，２２の接続状態を変更し、電圧判断部４０の判断信号ＤＳを用いて、駆動電流制御回路に備えられるセンシング抵抗回路６４および基準電圧制御回路７２のスイッチング状態をセッティングすることを例示したものである。
【０１１３】
図１２および図１３は、電圧判断部４０の構成が異なるだけであるので、図１３を参照して構成および動作を説明する。
図１３を参照すれば、駆動電流制御回路に備えられるセンシング抵抗回路６４は、照明部２０，２２の整列状態が変更されることに対応して駆動回路３０，３２のセンシング抵抗値とセンシング電圧を変更して、駆動回路３０，３２の駆動電流を制御する。そして、駆動電流制御回路に備えられる基準電圧制御回路７２が、駆動回路３２の基準電圧を制御して、駆動回路３２の駆動電流を制御する。
【０１１４】
図１３の場合、上記の構成を除いた残りの構成要素は、図２と同一であるので、これに関する重複説明は省略する。
図１３の照明装置は、センシング抵抗回路６４の動作によって、整流電圧Ｖｒｅｃに対応して照明部２０，２２が直列に接続された場合が、整流電圧Ｖｒｅｃに対応して照明部２０，２２が並列に接続された場合より、駆動回路３０，３２のセンシング抵抗のセンシング抵抗値とセンシング電圧を上昇させることができ、駆動回路３０，３２の駆動電流を減少させることができる。
【０１１５】
そして、図１３の照明装置は、基準電圧制御回路７２によって、整流電圧Ｖｒｅｃに対応して照明部２０，２２が直列に接続された場合が、整流電圧Ｖｒｅｃに対応して照明部２０，２２が並列に接続された場合より、駆動回路３２に提供する基準電圧を上昇させることができ、駆動回路３２の駆動電流を増加させることができる。
【０１１６】
基準電圧制御回路７２は、定電圧Ｖｄが印加される、直列に接続された抵抗Ｒｃ，Ｒｃ１，Ｒｃ２を有し、抵抗Ｒｃと抵抗Ｒｃ１との間のノードが駆動回路３２の基準電圧端Ｖｒｅｆｂに接続され、抵抗Ｒｃ２に並列にスイッチ５６が構成される。スイッチ５６は、電圧判断部４０の判断信号ＤＳに対応してスイッチングされる。判断信号ＤＳによって、スイッチ５６は、照明部２０，２２が並列に構成されるとき、ターンオンされ、照明部２０，２２が直列に構成されるとき、ターンオフされる。
【０１１７】
そして、判断信号によって、センシング抵抗回路６４のスイッチ５２は、並列に構成されるとき、ターンオンされ、照明部２０，２２が直列に構成されるとき、ターンオフされる。
以下、図１３の照明装置の動作を説明する。
接続回路５０は、判断信号ＤＳがローレベルとして提供されると、並列端子Ｐと共通端子Ｃとの間の経路を提供して、照明部２０，２２を並列に接続する。
【０１１８】
このとき、駆動電流制御回路として構成される基準電圧制御回路７２のスイッチ５６とセンシング抵抗回路６４のスイッチ５２はターンオンされる。その結果、駆動回路３０，３２の基準電圧は、同一のレベルとして提供され、駆動回路３０，３２も、同一の抵抗値を有するセンシング抵抗Ｒｓ１，Ｒｓ２によって同一のセンシング抵抗値とセンシング電圧を有する。
【０１１９】
このため、照明部２０，２２は、並列に接続された状態で、整流電圧Ｖｒｅｃの変化に対応してそれぞれ順次発光を行い、このとき、照明部２０，２２の駆動電流が同一である。
しかし、接続回路５０は、判断信号ＤＳがハイレベルとして提供されると、直列端子Ｓと共通端子Ｃとの間の経路を提供して、照明部２０，２２を直列に接続する。このとき、基準電圧制御回路７２のスイッチ５６とセンシング電圧提供回路６４のスイッチ５２はターンオフされる。このため、駆動回路３２の基準電圧が付加された抵抗Ｒｃ２によって上昇し、駆動回路３０，３２のセンシング抵抗値およびセンシング電圧も、共通に付加されるセンシング抵抗Ｒｓ３によって同一に上昇する。
【０１２０】
ここで、基準電圧の上昇による効果よりセンシング抵抗値の上昇による効果が大きければ、結果的に、駆動回路３２の駆動電流は減少する。そのため、照明部２０，２２が直列接続された場合、駆動回路３０，３２の駆動電流は、照明部２０，２２が並列接続された場合より減少する。
【０１２１】
これと異なり、基準電圧の上昇による効果よりセンシング抵抗値の上昇による効果が小さければ、結果的に、駆動回路３２の駆動電流は増加する。このため、照明部２０，２２が直列接続された場合、駆動回路３０の駆動電流は、照明部２０，２２が並列接続された場合より減少し、駆動回路３２の駆動電流は、照明部２０，２２が並列接続された場合より増加する。
【０１２２】
以上のように、照明部２０，２２が直列に接続された場合、図１３の照明装置も、発光ダイオードグループＬＥＤ１，ＬＥＤ２，ＬＥＤ３，ＬＥＤ４，ＬＥＤ５，ＬＥＤ６，ＬＥＤ７，ＬＥＤ８は、全体的に順次に発光する。
【０１２３】
本実施形態において、整流電圧Ｖｒｅｃを区分する第１整流電圧と第２整流電圧は、通常２倍程度の差を有するものに設定される。しかし、一例として、１２０Ｖと２７７Ｖに第１整流電圧と第２整流電圧が区分される場合、第１整流電圧に比べて、第２整流電圧は３７Ｖの余裕電圧が発生し得る。このため、余裕電圧を解消するために、１つ以上の発光ダイオードがさらに構成される。
【０１２４】
このために、本実施形態の照明装置は、照明部２０に接続され、照明部２０より後順位に発光する少なくとも１つの第１発光ダイオードと、照明部２２に接続され、照明部２２より後順位に発光する少なくとも１つの第２発光ダイオードと、のうちの少なくとも１つ以上をさらに備えるように構成され、第１発光ダイオードおよび第２発光ダイオードのうちの少なくとも１つは、照明部２０，２２が直列に接続される場合に発光できる。
【０１２５】
上記の本発明の第４の実施形態の照明装置は、図１４に示されるように構成される。
図１４の照明装置は、照明部２０に対して直列に発光ダイオードグループＬＥＤ９が接続され、発光ダイオードグループＬＥＤ９は、照明部２０より後順位に発光する。図１４の照明装置において、残りの構成要素は、図１と同一であるので、これに関する重複説明は省略する。
図１４の照明装置において、第１整流電圧に対応して照明部２０，２２が並列に接続された場合、発光ダイオードグループＬＥＤ９は、低い第１整流電圧のレベルによって発光しない。
【０１２６】
図１４の照明装置において、第２整流電圧に対応して照明部２０，２２が直列に接続された場合、発光ダイオードグループＬＥＤ１，ＬＥＤ２，ＬＥＤ３，ＬＥＤ４，ＬＥＤ５，ＬＥＤ６，ＬＥＤ７，，ＬＥＤ８，ＬＥＤ９は、直列に接続される順に順次に発光する。このとき、発光ダイオードグループＬＥＤ９と発光ダイオードグループＬＥＤ５は直列に接続され、同時に発光できる。
【０１２７】
上記の例示のように、第１整流電圧が１２０Ｖで、かつ、第２整流電圧が２７７Ｖの場合、発光ダイオードグループＬＥＤ９は、３７Ｖを収容できる程度の１つ以上の発光ダイオードを有することが好ましい。
【０１２８】
以上のように、本実施形態の照明装置は、照明部２０，２２の直列および並列接続を整流電圧Ｖｒｅｃの状態に対応して制御することができ、その結果、電力環境に対する汎用性を有することができる。
【図１】
2017037844.tif 000003
【図２】
2017037844.tif 000004
【図３】
2017037844.tif 000005
【図４】
2017037844.tif 000006
【図５】
2017037844.tif 000007
【図６】
2017037844.tif 000008
【図７】
2017037844.tif 000009
【図８】
2017037844.tif 000010
【図９】
2017037844.tif 000011
【図１０】
2017037844.tif 000012
【図１１】
2017037844.tif 000013
【図１２】
2017037844.tif 000014
【図１３】
2017037844.tif 000015
【図１４】
2017037844.tif 000016